(57)【要約】【課題】誤ったデータを排除することができる読取装置、サーバ装置、及びプログラムを提供する。【解決手段】読取装置は、送信手段と、受信手段と、計数手段と、出力手段とを備える。前記送信手段は、電子タグに対して、当該電子タグが記憶するタグ情報の出力要求を送信する。前記受信手段は、前記出力要求に対する応答として、前記電子タグから前記タグ情報を受信する。前記計数手段は、前記受信手段が受信した前記タグ情報に含まれる識別情報に基づき、同一の前記電子タグから受信した前記タグ情報の受信回数を計数する。前記出力手段は、前記計数手段が計数した前記受信回数が閾値以上の前記タグ情報の一部又は全部を、前記電子タグの読み取り結果として出力する。【選択図】図４
2018013957.tif 000002
【特許請求の範囲】
【請求項１】
電子タグに対して、当該電子タグが記憶するタグ情報の出力要求を送信する送信手段と、
前記出力要求に対する応答として、前記電子タグから前記タグ情報を受信する受信手段と、
前記受信手段が受信した前記タグ情報に含まれる識別情報に基づき、同一の前記電子タグから受信した前記タグ情報の受信回数を計数する計数手段と、
前記計数手段が計数した前記受信回数が閾値以上の前記タグ情報の一部又は全部を、前記電子タグの読み取り結果として出力する出力手段と、
を備える読取装置。
【請求項２】
前記出力手段は、前記タグ情報に含まれる前記識別情報と、当該タグ情報の前記受信回数とを出力する、
請求項１に記載の読取装置。
【請求項３】
電子タグからタグ情報を読み取る読取装置から送信された前記タグ情報を受信する受信手段と、
前記受信手段が一又は複数の前記読取装置から受信した前記タグ情報を、当該タグ情報に含まれる識別情報ごとに集約して記憶部に記憶させる記憶制御手段と、
前記記憶制御手段が重複して記憶させた前記タグ情報を抽出する抽出手段と、
を備えるサーバ装置。
【請求項４】
前記記憶制御手段は、前記タグ情報に含まれる前記識別情報と、当該識別情報を前記受信手段が受信した受信回数とを記憶させ、
前記抽出手段は、前記受信回数が閾値以上である前記識別情報を抽出する、
請求項３に記載のサーバ装置。
【請求項５】
コンピュータを、
電子タグに対して、当該電子タグが記憶するタグ情報の出力要求を送信する送信手段と、
前記出力要求に対する応答として、前記電子タグから前記タグ情報を受信する受信手段と、
前記受信手段が受信した前記タグ情報に含まれる識別情報に基づき、同一の前記電子タグから受信した前記タグ情報の受信回数を計数する計数手段と、
前記計数手段が計数した前記受信回数が閾値以上の前記タグ情報の一部又は全部を、前記電子タグの読み取り結果として出力する出力手段と、
して機能させるためのプログラム。
【請求項６】
コンピュータを、
電子タグからタグ情報を読み取る読取装置から送信された前記タグ情報を受信する受信手段と、
前記受信手段が一又は複数の前記読取装置から受信した前記タグ情報を、当該タグ情報に含まれる識別情報ごとに集約して記憶部に記憶させる記憶制御手段と、
前記記憶制御手段が重複して記憶させた前記タグ情報を抽出する抽出手段と、
して機能させるためのプログラム。
【発明の詳細な説明】
【技術分野】
【０００１】
本発明の実施形態は、読取装置、サーバ装置、及びプログラムに関する。
【背景技術】
【０００２】
従来、ＲＦＩＤ（Radio  Frequency  Identification）タグ等に記憶されている情報を読み取る読取装置が知られている。このような読取装置は、ＲＦＩＤタグから受信したデータがビット化け等により誤ったデータを処理してしまうことのないようにＣＲＣ（Cyclic  Redundancy  Code）等の誤り検出技術が用いられている。誤り検出技術は、本来送付したいデータとともに送付された検査用のデータを用いてビット化けがないことを確認している。
【０００３】
しかしながら、本来送付したいデータと検証用のデータとの両方でビット化けが発生してしまう場合がある。この場合、読取装置は、誤り検出技術を用いても誤りを検出することができない。従って、読取装置は、誤ったデータを読み取ってしまうことがある。そして、読取装置は、誤ったデータを処理の対象にしてしまうことがある。
【発明の概要】
【発明が解決しようとする課題】
【０００４】
本発明が解決しようとする課題は、誤ったデータを排除することができる読取装置、サーバ装置、及びプログラムを提供することである。
【課題を解決するための手段】
【０００５】
実施形態の読取装置は、送信手段と、受信手段と、計数手段と、出力手段とを備える。前記送信手段は、電子タグに対して、当該電子タグが記憶するタグ情報の出力要求を送信する。前記受信手段は、前記出力要求に対する応答として、前記電子タグから前記タグ情報を受信する。前記計数手段は、前記受信手段が受信した前記タグ情報に含まれる識別情報に基づき、同一の前記電子タグから受信した前記タグ情報の受信回数を計数する。前記出力手段は、前記計数手段が計数した前記受信回数が閾値以上の前記タグ情報の一部又は全部を、前記電子タグの読み取り結果として出力する。
【図面の簡単な説明】
【０００６】
【図１】図１は、第１の実施形態に係る読取システムの一例を示す説明図である。
【図２】図２は、据置型読取装置及びＰＯＳ端末のハードウェア構成の一例を示すブロック図である。
【図３】図３は、暫定登録テーブルのデータ構成の一例を示す説明図である。
【図４】図４は、読取システムの各装置が有する特徴的な機能構成を示すブロック図である。
【図５】図５は、読取処理の一例を示すフローチャート図である。
【図６】図６は、登録処理の一例を示すフローチャート図である。
【図７】図７は、第２の実施形態に係る読取システムの一例を示す説明図である。
【図８】図８は、携帯型読取装置のハードウェア構成の一例を示すブロック図である。
【図９】図９は、サーバ装置のハードウェア構成の一例を示すブロック図である。
【図１０】図１０は、読取システムの各装置が有する特徴的な機能構成を示すブロック図である。
【図１１】図１１は、読取処理の一例を示すフローチャート図である。
【図１２】図１２は、登録処理の一例を示すフローチャート図である。
【発明を実施するための形態】
【０００７】
以下、図面を参照して、実施形態に係る読取装置、サーバ装置、及びプログラムについて詳細に説明する。以下に説明する実施形態は、読取装置、サーバ装置、及びプログラムの一実施形態であって、その構成や仕様等を限定するものではない。
【０００８】
（第１の実施形態）
第１の実施形態は、スーパーマーケット等に小売店において販売対象の商品に付されたＲＦＩＤ（Radio  Frequency  Identification）タグからタグ情報及び誤り検出訂正情報を読み取る読取システム１への適用例である。ここで、タグ情報とは、ＲＦＩＤコードと、商品コードとを有する。ＲＦＩＤコードは、ＲＦＩＤタグを識別可能な識別情報である。商品コードは、商品を識別可能な識別情報である。誤り検出訂正情報は、タグ情報の誤りの検出や、タグ情報の誤りを訂正する情報である。例えば、誤り検出訂正情報は、ＣＲＣ（Cyclic  Redundancy  Code）等の技術において用いられる情報である。
【０００９】
図１は、第１の実施形態に係る読取システム１の一例を示す説明図である。読取システム１は、据置型読取装置１０と、ＰＯＳ端末２０とを備える。据置型読取装置１０は、商品３０等の物品に付されているＲＦＩＤタグ３１から、タグ情報及び誤り検出訂正情報を読み取る据置型の読取装置である。ＲＦＩＤタグ３１は、近距離無線通信により情報の出力要求を受信したことを条件に、図示しない記憶部に記憶されたタグ情報及び誤り検出訂正情報を出力する電子タグである。ＰＯＳ端末２０は、販売対象の商品３０を売上登録する情報処理装置である。据置型読取装置１０と、ＰＯＳ端末２０とは、通信可能に接続されている。ＰＯＳ端末２０は、据置型読取装置１０がＲＦＩＤタグ３１から読み取ったタグ情報を受信して、タグ情報に含まれる商品コードの商品３０を売上登録することができる。
【００１０】
カウンタ台４０は、天板４２と、カウンタ台４０の内部の空間を仕切る間仕切り板４１とを備えている。ＰＯＳ端末２０は、天板４２上に載置される。間仕切り板４１は、天板４２と水平に設けられ、カウンタ台４０の内部の空間に物品を載置することが可能な棚になっている。据置型読取装置１０は、間仕切り板４１上に載置される。より詳細には、据置型読取装置１０は、カウンタ台４０の上面から見てＰＯＳ端末２０と重ならない位置に載置される。
【００１１】
天板４２は、例えば木材等の電波を通す素材で作成されている。また、据置型読取装置１０の載置位置に対応する天板４２上には、商品載置領域４３が形成される。商品載置領域４３は、ＲＦＩＤタグ３１の読み取りを行うための領域である。据置型読取装置１０は、商品載置領域４３に置かれた商品３０のＲＦＩＤタグ３１からタグ情報及び誤り検出訂正情報を読み取る。なお、据置型読取装置１０の電波強度は、商品載置領域４３の外部に存在するＲＦＩＤタグ３１からタグ情報及び誤り検出訂正情報を読み取ってしまわないよう、予め制限されているものとする。
【００１２】
ＰＯＳ端末２０は、ドロワ２１と、ドロワ２１の上に載置された本体部２２とを備えている。ドロワ２１は、顧客から受領した現金や、釣銭等に使用する現金を収納する。なお、ＰＯＳ端末２０は、ドロワ２１に代えて、又はドロワ２１と共に自動釣銭機を備えていてもよい。
【００１３】
本体部２２は、上面右側にキーボード２３と第１表示部２４とを備える。キーボード２３は、ＰＯＳ端末２０を操作する各種キーを備える。例えば、キーボード２３は、一取引に係る販売データ処理の終了を宣言する締めキー等を備える。
【００１４】
第１表示部２４は、表示面上にタッチパネルが積層されたタッチパネル式の液晶表示装置（ＬＣＤ）である。第１表示部２４は、例えば、店舗の店員などの操作者に見せる画面を表示する。なお、第１表示部２４は、液晶表示装置に限らず、有機ＥＬ表示装置等であってもよい。本体部２２は、上面後方に第２表示部２５を備える。第２表示部２５は、表示面上にタッチパネルが積層されたタッチパネル式の液晶表示装置（ＬＣＤ）である。第２表示部２５は、例えば、商品３０を購入する顧客が見せる画面を表示する。なお、第２表示部２５は、液晶表示装置に限らず、有機ＥＬ表示装置等であってもよい。
【００１５】
本体部２２は、上面左側にはプリンタ２６を設ける。プリンタ２６は、取引単位のレシート及びジャーナルを印字発行する。
【００１６】
本体部２２は、右側面の溝にカードリーダライタ２７を設ける。カードリーダライタ２７は、カードからカード情報の読み取り等をするためにスキャンする。
【００１７】
また、ＰＯＳ端末２０は、手持ち式のスキャナ装置２８を設ける。スキャナ装置２８は、配送する物品の外観や商品３０に付されたコードシンボル等の物品を読み取る。
【００１８】
次に、読取システム１の据置型読取装置１０及びＰＯＳ端末２０のハードウェア構成について説明する。
【００１９】
図２は、据置型読取装置１０及びＰＯＳ端末２０のハードウェア構成の一例を示すブロック図である。据置型読取装置１０は、制御部１０１、記憶部１０２、接続インタフェース１０３、及びアンテナ１０４を備える。制御部１０１、記憶部１０２、接続インタフェース１０３、及びアンテナ１０４は、システムバス１０５を介して相互に接続している。
【００２０】
制御部１０１は、据置型読取装置１０の全体の動作を制御し、据置型読取装置１０が有する各種の機能を実現する。制御部１０１は、ＣＰＵ（Central  Processing  Unit）と、ＲＯＭ（Read  Only  Memory）と、ＲＡＭ（Random  Access  Memory）とを備える。ＣＰＵは、据置型読取装置１０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部１０２等に格納されたプログラムを実行する。
【００２１】
記憶部１０２は、ＨＤＤ（Hard  Disk  Drive）やＳＳＤ（Solid  State  Drive）などの記憶装置である。記憶部１０２は、制御プログラム１０６と、暫定登録テーブル１０７とを記憶する。制御プログラム１０６は、オペレーティングシステムや、据置型読取装置１０が備えている機能を発揮させるためのプログラムである。制御プログラム１０６には、本実施形態に係る特徴的な機能を発揮させるプログラムが含まれる。
【００２２】
暫定登録テーブル１０７は、商品載置領域４３に載置された商品３０に付されたＲＦＩＤタグ３１から受信した各種情報を登録するデータテーブルである。ここで、図３は、暫定登録テーブル１０７のデータ構成の一例を示す説明図である。暫定登録テーブル１０７は、タグ情報と、重複回数とを関連付けて記憶する。タグ情報は、ＲＦＩＤコードと、商品コードとを有する。ＲＦＩＤコードは、商品載置領域４３に載置された商品３０に付されたＲＦＩＤタグ３１から受信したタグ情報に含まれるＲＦＩＤコードである。商品コードは、商品載置領域４３に載置された商品３０に付されたＲＦＩＤタグ３１から受信したタグ情報に含まれる商品コードである。暫定登録テーブル１０７は、ＲＦＩＤコードと、商品コードとを関連付けて記憶することにより同一種類の商品３０を複数登録することができる。重複回数は、同一のＲＦＩＤタグ３１からタグ情報を重複して受信した回数を示す情報である。
【００２３】
接続インタフェース１０３は、ＰＯＳ端末２０と接続するためのインタフェースである。
【００２４】
アンテナ１０４は、近距離無線通信等によりＲＦＩＤタグ３１と電波を送受信するための装置である。アンテナ１０４は、商品載置領域４３に載置された不特定の商品３０に付せられているＲＦＩＤタグ３１に対して電波を送受信する。すなわち、アンテナ１０４は、商品載置領域４３の外部に存在するＲＦＩＤタグ３１との送受信を防止するために電波強度を制限して電波を送受信する。
【００２５】
ＰＯＳ端末２０は、制御部２０１、記憶部２０２、通信インタフェース２０３、接続インタフェース２０４、キーボード２３、第１表示部２４、第２表示部２５、プリンタ２６、カードリーダライタ２７、及びスキャナ装置２８を備える。制御部２０１、記憶部２０２、通信インタフェース２０３、接続インタフェース２０４、キーボード２３、第１表示部２４、第２表示部２５、プリンタ２６、カードリーダライタ２７、及びスキャナ装置２８は、システムバス２０５を介して相互に接続している。
【００２６】
制御部２０１は、ＰＯＳ端末２０の全体の動作を制御し、ＰＯＳ端末２０が有する各種の機能を実現する。制御部２０１は、ＣＰＵと、ＲＯＭと、ＲＡＭとを備える。ＣＰＵは、ＰＯＳ端末２０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部２０２等に格納されたプログラムを実行する。
【００２７】
記憶部２０２は、ＨＤＤやＳＳＤなどの記憶装置である。記憶部２０２は、制御プログラム２０６と、販売登録テーブル２０７とを記憶する。
【００２８】
制御プログラム２０６は、オペレーティングシステムや、ＰＯＳ端末２０が備えている機能を発揮させるためのプログラムである。制御プログラム２０６には、本実施形態に係る特徴的な機能を発揮させるプログラムが含まれる。
【００２９】
販売登録テーブル２０７は、販売対象の商品３０の商品コード等を登録したデータテーブルである。例えば、販売登録テーブル２０７は、据置型読取装置１０が受信したタグ情報に含まれる商品コードや、スキャナ装置２８が読み取った商品コード等を登録する。
【００３０】
通信インタフェース２０３は、ネットワークと接続するためのインタフェースである。
【００３１】
接続インタフェース２０４は、据置型読取装置１０と接続するためのインタフェースである。
【００３２】
次に、読取システム１の各装置が有する特徴的な機能について説明する。ここで、図４は、読取システム１の各装置が有する特徴的な機能構成を示すブロック図である。
【００３３】
据置型読取装置１０の制御部１０１は、記憶部１０２に記憶された制御プログラム１０６をＲＡＭに展開し、制御プログラム１０６に従って動作することで、図４に示す各機能部をＲＡＭに生成する。具体的には、据置型読取装置１０の制御部１０１は、機能部として、接続制御部１００１と、読取制御部１００２と、誤り検出訂正部１００３と、暫定登録部１００４とを備える。
【００３４】
接続制御部１００１は、接続インタフェース１０３を制御してＰＯＳ端末２０との通信を制御する。例えば、接続制御部１００１は、ＲＦＩＤタグ３１の読み取り開始を要求する読取開始要求をＰＯＳ端末２０から受信する。また、接続制御部１００１は、ＲＦＩＤタグ３１の読み取り停止を要求する読取停止要求をＰＯＳ端末２０から受信する。また、接続制御部１００１は、商品コードの送信要求をＰＯＳ端末２０から受信する。また、接続制御部１００１は、暫定登録部１００４と協働することで、商品コードとその重複回数とをＰＯＳ端末２０に送信する。
【００３５】
読取制御部１００２は、本実施形態の送信手段及び受信手段として機能する。読取制御部１００２は、アンテナ１０４を制御して、商品３０に付されたＲＦＩＤタグ３１からタグ情報及び誤り検出訂正情報を読み取る。さらに詳しくは、読取制御部１００２は、ＰＯＳ端末２０からＲＦＩＤタグ３１の読み取り開始が要求されたことを条件に、ＲＦＩＤタグ３１に記憶されたタグ情報及び誤り検出訂正情報の出力要求を不特定のＲＦＩＤタグ３１に送信する。読取制御部１００２は、出力要求の応答として、ＲＦＩＤタグ３１からタグ情報及び誤り検出訂正情報を受信することによりＲＦＩＤタグ３１を読み取る。そして、読取制御部１００２は、ＰＯＳ端末２０からＲＦＩＤタグ３１の読み取り停止が要求されたことを条件に、出力要求の送信を停止する。すなわち、読取制御部１００２は、読取停止要求を受信するまで、タグ情報及び誤り検出訂正情報の出力要求を複数回不特定のＲＦＩＤタグ３１に送信する。
【００３６】
誤り検出訂正部１００３は、読取制御部１００２がＲＦＩＤタグ３１からタグ情報及び誤り検出訂正情報を受信したことを条件に、受信したタグ情報に対して誤り検出訂正処理を実行する。すなわち、誤り検出訂正部１００３は、受信した誤り訂正検出情報を使用してタグ情報からビット化けの検出やビット化けの訂正を実行する。ここで、ビット化けとは、ＲＦＩＤタグ３１からタグ情報を読み取る際等に、タグ情報が変質してしまうことを意味している。
【００３７】
暫定登録部１００４は、本実施形態の計数手段として機能する。暫定登録部１００４は、誤り検出訂正部１００３が誤り検出訂正処理を実行したタグ情報を暫定登録テーブル１０７に登録する。すなわち、暫定登録部１００４は、誤り検出訂正部１００３がタグ情報から誤りを検出しなかった場合に、タグ情報を暫定登録テーブル１０７に登録する。または、暫定登録部１００４は、誤り検出訂正部１００３がタグ情報の誤りを訂正した場合に、タグ情報を暫定登録テーブル１０７に登録する。また、暫定登録部１００４は、タグ情報を重複して受信した受信回数を計数する。具体的には、暫定登録部１００４は、暫定登録テーブル１０７に未登録のタグ情報を登録することを条件に、暫定登録テーブル１０７の重複回数に０を設定する。暫定登録部１００４は、暫定登録テーブル１０７に登録済みのタグ情報を登録することを条件に、暫定登録テーブル１０７の重複回数をカウントアップして設定する。
【００３８】
さらに、暫定登録部１００４は、接続制御部１００１とともに本実施形態の出力手段として機能する。暫定登録部１００４は、ＰＯＳ端末２０からタグ情報の送信が要求されたことを条件に、重複回数が閾値以上のタグ情報を暫定登録テーブル１０７から抽出する。
暫定登録部１００４は、タグ情報の一部又は全部と、当該商品コードの重複回数とを関連付けて接続制御部１００１にＲＦＩＤタグ３１の読み取り結果として送信出力させる。すなわち、暫定登録部１００４は、タグ情報として、タグ情報に含まれるＲＦＩＤコード及び商品コードを送信出力させてもよいし、商品コードを送信出力させてもよい。
【００３９】
このように、暫定登録部１００４は、重複回数が閾値以上のタグ情報を接続制御部１００１に送信出力させることにより、誤った情報を送信出力させることを防止することができる。具体的には、暫定登録部１００４は、タグ情報と誤り検出訂正情報との両方にビット化けが発生している場合には、誤ったタグ情報を暫定登録テーブル１０７に登録してしま場合がある。しかし、暫定登録部１００４は、誤り検出訂正情報において同じビット化けが発生している可能性は低いため、誤ったタグ情報を暫定登録テーブル１０７に複数回登録してしまう可能性は低い。よって、暫定登録部１００４は、重複回数が閾値以上のタグ情報を接続制御部１００１に送信出力させることにより、誤った情報を送信出力させることを防止する。
【００４０】
一方、ＰＯＳ端末２０の制御部２０１は、記憶部２０２に記憶された制御プログラム２０６をＲＡＭに展開し、制御プログラム２０６に従って動作することで、図４に示す各機能部をＲＡＭに生成する。具体的には、ＰＯＳ端末２０の制御部２０１は、機能部として、接続制御部２００１と、操作制御部２００２と、登録制御部２００３とを備える。
【００４１】
接続制御部２００１は、接続インタフェース２０４を制御して据置型読取装置１０との通信を制御する。例えば、接続制御部２００１は、登録制御部２００３と協働することで、ＲＦＩＤタグ３１の読み取り開始を要求する読取開始要求を据置型読取装置１０に送信する。また、接続制御部２００１は、登録制御部２００３と協働することで、ＲＦＩＤタグ３１の読み取り停止を要求する読取停止要求を据置型読取装置１０に送信する。また、接続制御部２００１は、登録制御部２００３と協働することで、タグ情報の送信要求を据置型読取装置１０に送信する。また、接続制御部２００１は、タグ情報とその重複回数とを据置型読取装置１０から受信する。
【００４２】
操作制御部２００２は、キーボード２３、第１表示部２４に積層されたタッチパネル、及び第２表示部２５に積層されたタッチパネル等を制御して、各種操作を受け付ける。
【００４３】
登録制御部２００３は、入力された商品コードの商品３０を販売対象の商品３０として販売登録テーブル２０７に登録する。さらに詳しくは、登録制御部２００３は、操作制御部２００２が商品コードの読み取りを開始する操作を受け付けた場合に、読取開始要求を接続制御部２００１に送信させる。また、登録制御部２００３は、操作制御部２００２が商品コードの読み取りを開始する操作を受け付けた場合に、所定期間が経過するごとにタグ情報の送信要求を接続制御部２００１に送信させる。登録制御部２００３は、操作制御部２００２がタグ情報の読み取りを停止する操作を受け付けた場合に、読取停止要求を接続制御部２００１に送信させる。登録制御部２００３は、タグ情報と、その重複回数とを接続制御部２００１が受信した場合に、重複回数が閾値以上のタグ情報を販売登録テーブル２０７に登録する。すなわち、登録制御部２００３は、据置型読取装置１０が商品載置領域４３に載置された商品３０に付されたＲＦＩＤタグ３１から読み取ったタグ情報に含まれる商品コードの商品３０を販売対象の商品３０として販売登録テーブル２０７に登録する。
【００４４】
次に、据置型読取装置１０が実行する読取処理について説明する。ここで、図５は、第１の実施形態の据置型読取装置１０が実行する読取処理の一例を示すフローチャート図である。読取処理とは、ＰＯＳ端末２０からの要求に応じて、商品３０に付されているＲＦＩＤタグ３１から商品コードを読み取る処理である。
【００４５】
まず、暫定登録部１００４は、暫定登録テーブル１０７を初期化する（ステップＳ１）。すなわち、暫定登録部１００４は、暫定登録テーブル１０７に記憶されているタグ情報を消去する。また、暫定登録部１００４は、暫定登録テーブル１０７の重複回数に０を設定にする。
【００４６】
接続制御部１００１は、ＲＦＩＤタグ３１の読取開始要求をＰＯＳ端末２０から受信したか否かを判定する（ステップＳ２）。読取開始要求を受信していないことを条件に（ステップＳ２；Ｎｏ）、据置型読取装置１０は、読取開始要求を受信するまで待機する。
【００４７】
一方、読取制御部１００２は、接続制御部１００１が読取開始要求を受信したと判定したことを条件に（ステップＳ２；Ｙｅｓ）、ＲＦＩＤタグ３１の読み取りを開始する（ステップＳ３）。
【００４８】
読取制御部１００２は、ＲＦＩＤタグ３１からタグ情報及び誤り検出訂正情報を受信したか否かを判定する（ステップＳ４）。すなわち、読取制御部１００２は、ＲＦＩＤタグ３１からタグ情報及び誤り検出訂正情報を読み取れたか否かを判定する。読取制御部１００２は、ＲＦＩＤタグ３１からタグ情報及び誤り検出訂正情報を受信していないことを条件に（ステップＳ４；Ｎｏ）、ステップＳ１０に移行する。
【００４９】
一方、読取制御部１００２は、ＲＦＩＤタグ３１からタグ情報及び誤り検出訂正情報を受信したことを条件に（ステップＳ４；Ｙｅｓ）、ステップＳ５の処理に移行させる。ステップＳ５において、誤り検出訂正部１００３は、受信したタグ情報に対して受信した誤り検出訂正情報を使用して誤り検出訂正処理を実行する（ステップＳ５）。暫定登録部１００４は、誤り検出訂正処理を実行したタグ情報が暫定登録テーブル１０７に登録済みであるか否かを判定する（ステップＳ６）。
【００５０】
暫定登録部１００４は、暫定登録テーブル１０７に登録済みであることを条件に（ステップＳ６；Ｙｅｓ）、暫定登録テーブル１０７におけるタグ情報と同一のタグ情報の重複回数をカウントアップする（ステップＳ７）。
【００５１】
一方、暫定登録部１００４は、暫定登録テーブル１０７に未登録であることを条件に（ステップＳ６；Ｎｏ）、タグ情報を暫定登録テーブル１０７に登録する（ステップＳ８）。また、暫定登録部１００４は、暫定登録テーブル１０７に登録したタグ情報の重複回数に０を設定する（ステップＳ９）。
【００５２】
続いて、接続制御部１００１は、タグ情報の送信要求をＰＯＳ端末２０から受信したか否かを判定する（ステップＳ１０）。接続制御部１００１は、読み取ったタグ情報の送信要求を受信していないことを条件に（ステップＳ１０；Ｎｏ）、ステップＳ１４に移行する。
【００５３】
暫定登録部１００４は、タグ情報の送信要求を受信したことを条件に（ステップＳ１０；Ｙｅｓ）、重複回数が１以上のタグ情報及び重複回数を暫定登録テーブル１０７から抽出する（ステップＳ１１）。次いで、接続制御部１００１は、ステップＳ１１で抽出したタグ情報と重複回数とを関連付けてＰＯＳ端末２０に送信する（ステップＳ１２）。
【００５４】
据置型読取装置１０の暫定登録部１００４は、暫定登録テーブル１０７から送信したタグ情報及び重複回数を消去する（ステップＳ１３）。すなわち、暫定登録部１００４は、暫定登録テーブル１０７から重複回数が１以上のタグ情報を消去する。また、暫定登録部１００４は、暫定登録テーブル１０７から重複回数が１以上のタグ情報の重複回数に０を設定する。
【００５５】
続いて、接続制御部１００１は、ＲＦＩＤタグ３１の読取停止要求をＰＯＳ端末２０から受信したか否かを判定する（ステップＳ１４）。接続制御部１００１は、読取停止要求を受信していないことを条件に（ステップＳ１４；Ｎｏ）、ステップＳ３に移行する。
【００５６】
一方、読取停止要求を受信したことを条件に（ステップＳ１４；Ｙｅｓ）、据置型読取装置１０は、読取処理を終了する。
【００５７】
次に、ＰＯＳ端末２０が実行する登録処理について説明する。ここで、図６は、第１の実施形態のＰＯＳ端末２０が実行する登録処理の一例を示すフローチャート図である。
【００５８】
操作制御部２００２は、据置型読取装置１０による読取処理を開始させる操作を受け付けたか否かを判定する（ステップＳ２１）。読取処理を開始させる操作を受け付けていないことを条件に（ステップＳ２１；Ｎｏ）、ＰＯＳ端末２０は、操作を受け付けるまで待機する。
【００５９】
一方、読取処理を開始させる操作を受け付けたことを条件に（ステップＳ２１；Ｙｅｓ）、接続制御部２００１は、ＲＦＩＤタグ３１の読取開始要求を据置型読取装置１０に送信する（ステップＳ２２）。
【００６０】
登録制御部２００３は、据置型読取装置１０がＲＦＩＤタグ３１から読み取ったタグ情報及び重複回数の送信要求を送信する条件が満たされたか否かを判定する（ステップＳ２３）。例えば、登録制御部２００３は、所定期間が経過した場合に送信要求を送信する条件が満たされたと判定する。送信要求を送信する条件が満たされていないことを条件に（ステップＳ２３；Ｎｏ）、ＰＯＳ端末２０は、条件が満たされるまで待機する。
【００６１】
送信要求を送信する条件が満たされたことを条件に（ステップＳ２３；Ｙｅｓ）、接続制御部２００１は、タグ情報の送信要求を据置型読取装置１０に送信する（ステップＳ２４）。
【００６２】
接続制御部２００１は、送信要求の応答としてタグ情報及び重複回数を受信したか否かを判定する（ステップＳ２５）。タグ情報及び重複回数を受信したことを条件に（ステップＳ２５；Ｙｅｓ）、登録制御部２００３は、重複回数が閾値以上のタグ情報に含まれる商品コードを販売登録テーブル２０７に登録する（ステップＳ２６）。そして、ＰＯＳ端末２０は、ステップＳ２５に移行して再度の受信を受け付ける。
【００６３】
一方、タグ情報及び重複回数を受信していないことを条件に（ステップＳ２５；Ｎｏ）、操作制御部２００２は、据置型読取装置１０による読取処理の停止を要求する操作を受け付けたか否かを判定する（ステップＳ２７）。読取処理を停止する操作を受け付けていないことを条件に（ステップＳ２７；Ｎｏ）、ＰＯＳ端末２０は、ステップＳ２５に移行する。
【００６４】
一方、読取処理の停止を要求する操作を受け付けたことを条件に（ステップＳ２７；Ｙｅｓ）、接続制御部２００１は、停止要求をＰＯＳ端末２０に送信する（ステップＳ２８）。
【００６５】
以上により、ＰＯＳ端末２０は、読取処理を終了する。
【００６６】
以上のように、第１の実施形態に係る読取システム１によれば、据置型読取装置１０は、商品３０に付されたＲＦＩＤタグ３１からタグ情報を受信することにより商品コードを読み取る。ここで、据置型読取装置１０は、電波強度を制限されているため商品載置領域４３に載置された商品３０に付されたＲＦＩＤタグ３１から商品コードを受信する。据置型読取装置１０は、商品コードを重複して受信した回数を計数する。据置型読取装置１０は、重複して受信した受信回数が閾値以上である商品コードをＰＯＳ端末２０に出力する。そして、ＰＯＳ端末２０は、販売対象の商品３０として登録する。従って、据置型読取装置１０は、誤ったデータを排除することができる。
【００６７】
（第２の実施形態）
第１の実施形態では、読取装置である据置型読取装置１０において重複回数を計数し、当該重複回数が閾値以上のタグ情報をＰＯＳ端末２０に送信する形態を説明した。第２の実施形態では、一又は複数の読取装置で読み取られたタグ情報の重複回数を、読取装置以外の他の装置で計数する形態について説明する。具体的には、第２の実施形態は、携帯型読取装置５０（図７参照）を携帯して使用する点が第１の実施形態と異なっている。なお、第１の実施形態との相違点の説明を主に行い、第１の実施形態と同様の機能を有する構成要素については、第１の実施形態と同様の名称・符号を付し、その説明を省略する。
【００６８】
図７は、第２の実施形態に係る読取システム２の一例を示す説明図である。第２の実施形態は、倉庫等の在庫管理において在庫である商品７０に付されたＲＦＩＤタグ７１からタグ情報及び誤り検出訂正情報を読み取る読取システム２への適用例である。
【００６９】
読取システム２は、一又は複数の携帯型読取装置５０と、サーバ装置６０とを備える。携帯型読取装置５０は、商品７０に付されたＲＦＩＤタグ７１に記憶されているタグ情報及び誤り検出訂正情報を読み取る携帯型の読取装置である。すなわち、携帯型読取装置５０は、倉庫の棚等に保管されている不特定の商品７０に付せられているＲＦＩＤタグ７１からタグ情報及び誤り検出訂正情報を読み取る。サーバ装置６０は、携帯型読取装置５０から受信したタグ情報に含まれているタグ情報に基づき在庫管理する情報処理装置である。携帯型読取装置５０と、サーバ装置６０とは、インターネットやＶＰＮ（Virtual  Private  Network）やＬＡＮ（Local  Area  Network）等のネットワーク８０を介して、通信可能に接続されている。
【００７０】
次に、読取システム２の携帯型読取装置５０及びサーバ装置６０のハードウェア構成について説明する。図８は、携帯型読取装置５０のハードウェア構成の一例を示すブロック図である。携帯型読取装置５０は、制御部５０１、記憶部５０２、通信インタフェース５０３、アンテナ５０４、及び表示部５０５を備える。制御部５０１、記憶部５０２、通信インタフェース５０３、アンテナ５０４、及び表示部５０５は、システムバス５０６を介して相互に接続している。
【００７１】
制御部５０１は、携帯型読取装置５０の全体の動作を制御し、携帯型読取装置５０が有する各種の機能を実現する。制御部５０１は、ＣＰＵと、ＲＯＭと、ＲＡＭとを備える。ＣＰＵは、携帯型読取装置５０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部５０２等に格納されたプログラムを実行する。
【００７２】
記憶部５０２は、ＨＤＤやＳＳＤなどの記憶装置である。記憶部５０２は、制御プログラム５０７を記憶する。制御プログラム５０７は、オペレーティングシステムや、携帯型読取装置５０が備えている機能を発揮させるためのプログラムである。制御プログラム５０７には、本実施形態に係る特徴的な機能を発揮させるプログラムが含まれる。
【００７３】
通信インタフェース５０３は、ネットワーク８０と接続するためのインタフェースである。すなわち、通信インタフェース５０３は、ネットワーク８０を介して接続されたサーバ装置６０と通信するためのインタフェースである。
【００７４】
アンテナ５０４は、近距離無線通信等によりＲＦＩＤタグ７１と電波を送受信するための装置である。アンテナ５０４は、倉庫の棚等に載置された不特定の商品７０に付せられているＲＦＩＤタグ７１に対して電波を送受信する。
【００７５】
表示部５０５は、表示面上にタッチパネルが積層されたタッチパネル式の液晶表示装置（ＬＣＤ）である。
【００７６】
図９は、サーバ装置６０のハードウェア構成の一例を示すブロック図である。サーバ装置６０は、制御部６０１、記憶部６０２、通信インタフェース６０３、操作部６０４、及び表示部６０５を備える。制御部６０１、記憶部６０２、通信インタフェース６０３、操作部６０４、及び表示部６０５は、システムバス６０６を介して相互に接続している。
【００７７】
制御部６０１は、サーバ装置６０の全体の動作を制御し、サーバ装置６０が有する各種の機能を実現する。制御部６０１は、ＣＰＵと、ＲＯＭと、ＲＡＭとを備える。ＣＰＵは、サーバ装置６０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部６０２等に格納されたプログラムを実行する。
【００７８】
記憶部６０２は、ＨＤＤやＳＳＤなどの記憶装置である。記憶部６０２は、制御プログラム６０７と、暫定登録テーブル６０８と、在庫登録テーブル６０９とを記憶する。制御プログラム６０７は、オペレーティングシステムや、サーバ装置６０が備えている機能を発揮させるためのプログラムである。制御プログラム６０７には、本実施形態に係る特徴的な機能を発揮させるプログラムが含まれる。
【００７９】
暫定登録テーブル６０８は、携帯型読取装置５０が在庫としての商品７０に付されたＲＦＩＤタグ７１から受信した各種情報を登録するデータテーブルである。暫定登録テーブル６０８は、第１の実施形態に係る暫定登録テーブル１０７と同様のデータ構成となっている。すなわち、暫定登録テーブル６０８は、タグ情報と、重複回数とを関連付けて記憶する。タグ情報は、ＲＦＩＤコードと、商品コードとを有する。ＲＦＩＤコードは、商品７０に付されたＲＦＩＤタグ７１から受信したタグ情報に含まれるＲＦＩＤコードである。商品コードは、携帯型読取装置５０がＲＦＩＤタグ７１から受信したタグ情報に含まれる商品コードである。暫定登録テーブル６０８は、ＲＦＩＤコードと、商品コードとを関連付けて記憶することにより同一種類の商品７０を複数登録することができる。重複回数は、関連付けられたタグ情報を重複して受信した回数を示す情報である。
【００８０】
在庫登録テーブル６０９は、倉庫等に在庫として保管されている商品７０等の商品コード等を登録したデータテーブルである。例えば、在庫登録テーブル６０９は、携帯型読取装置５０が受信したタグ情報に含まれる商品コード等を登録する。
【００８１】
通信インタフェース６０３は、ネットワーク８０と接続するためのインタフェースである。すなわち、通信インタフェース６０３は、ネットワーク８０を介して接続された携帯型読取装置５０と通信するためのインタフェースである。
【００８２】
操作部６０４は、キーボードや、マウス等の入力装置である。操作部６０４は、サーバ装置６０に対する操作を受け付ける。
【００８３】
表示部６０５は、液晶表示装置（ＬＣＤ）である。なお、表示部６０５は、液晶表示装置に限らず、有機ＥＬ表示装置等であってもよい。
【００８４】
次に、第２の実施形態に係る読取システム２の各装置が有する特徴的な機能について説明する。ここで、図１０は、読取システム２の各装置が有する特徴的な機能構成を示すブロック図である。
【００８５】
携帯型読取装置５０の制御部５０１は、記憶部５０２に記憶された制御プログラム５０７をＲＡＭに展開し、制御プログラム５０７に従って動作することで、図１０に示す各機能部をＲＡＭに生成する。具体的には、携帯型読取装置５０の制御部５０１は、機能部として、通信制御部５００１と、操作制御部５００２と、読取制御部５００３と、誤り検出訂正部５００４とを備える。
【００８６】
通信制御部５００１は、通信インタフェース５０３を制御してサーバ装置６０との通信を制御する。例えば、通信制御部５００１は、誤り検出訂正部５００４が誤り検出訂正処理を実行したタグ情報をサーバ装置６０に送信する。
【００８７】
操作制御部５００２は、表示部５０５に積層されたタッチパネル等を制御して、各種操作を受け付ける。
【００８８】
読取制御部５００３は、第１の実施形態に係る据置型読取装置１０の読取制御部１００２と同様にアンテナ５０４を制御して、ＲＦＩＤタグ７１からタグ情報及び誤り検出訂正情報を読み取る。そして、読取制御部５００３は、ＲＦＩＤタグ７１からタグ情報及び誤り検出訂正情報を読み取ったことを条件に、読み取ったタグ情報を通信制御部５００１に送信させる。なお、タグ情報を送信させる条件は、ＲＦＩＤタグ７１からタグ情報を読み取ったことに限らない。例えば、タグ情報を送信する条件は、所定時間が経過するごとであってもよいし、サーバ装置６０からの要求であってもよいし、タグ情報を送信する操作を受け付けたことであってもよい。また、携帯型読取装置５０は、ＲＦＩＤタグ７１から読み取ったタグ情報を記憶する場合には、第１の実施形態に係る暫定登録テーブル１０７を記憶部５０２に記憶すればよい。
【００８９】
誤り検出訂正部５００４は、読取制御部５００３がＲＦＩＤタグ７１からタグ情報及び誤り検出訂正情報を受信したことを条件に、受信したタグ情報に対して誤り検出訂正処理を実行する。すなわち、誤り検出訂正部５００４は、受信したタグ情報に対して誤り訂正検出情報を使用してタグ情報からビット化けの検出やビット化けの訂正を実行する。
【００９０】
サーバ装置６０の制御部６０１は、記憶部６０２に記憶された制御プログラム６０７をＲＡＭに展開し、制御プログラム６０７に従って動作することで、図１０に示す各機能部をＲＡＭに生成する。具体的には、サーバ装置６０の制御部６０１は、機能部として、通信制御部６００１と、操作制御部６００２と、暫定登録部６００３と、登録制御部６００４とを備える。
【００９１】
通信制御部６００１は、本実施形態の受信手段として機能する。通信制御部６００１は、通信インタフェース６０３を制御して携帯型読取装置５０との通信を制御する。
【００９２】
操作制御部６００２は、表示部６０５に積層されたタッチパネル等を制御して、各種操作を受け付ける。
【００９３】
暫定登録部６００３は、本実施形態の記憶制御手段及び抽出手段として機能する。暫定登録部６００３は、通信制御部６００１が一又は複数の携帯型読取装置５０から受信したタグ情報を集約して暫定登録テーブル６０８に記憶させる。また、暫定登録部６００３は、タグ情報を重複して受信した受信回数を計数する。すなわち、暫定登録部６００３は、タグ情報を重複して暫定登録テーブル６０８に記憶させた重複回数を計数する。暫定登録部６００３は、暫定登録テーブル６０８に未登録のタグ情報を受信したことを条件に、暫定登録テーブル６０８の重複回数に０を設定する。暫定登録部６００３は、暫定登録テーブル６０８に登録済みのタグ情報を受信したことを条件に、暫定登録テーブル６０８の重複回数をカウントアップして設定する。暫定登録部６００３は、操作制御部６００２がＲＦＩＤタグ７１の読み取りを停止する操作を受け付けたことを条件に、重複回数が閾値以上のタグ情報を抽出する。
【００９４】
登録制御部６００４は、暫定登録部６００３が抽出したタグ情報の商品７０を倉庫等に保管されている在庫として在庫登録テーブル６０９に登録する。
【００９５】
次に、携帯型読取装置５０が実行する読取処理について説明する。ここで、図１１は、第２の実施形態の携帯型読取装置５０が実行する読取処理の一例を示すフローチャート図である。
【００９６】
まず、操作制御部５００２は、ＲＦＩＤタグ７１の読み取りを開始する操作を受け付けたか否かを判定する（ステップＳ３１）。読み取りを開始する操作を受け付けていないことを条件に（ステップＳ３１；Ｎｏ）、携帯型読取装置５０は、操作を受け付けるまで待機する。
【００９７】
一方、読み取りを開始する操作を受け付けたことを条件に（ステップＳ３１；Ｙｅｓ）、読取制御部５００３は、ＲＦＩＤタグ７１に記憶されたタグ情報及び誤り検出訂正情報の出力要求を送信してＲＦＩＤタグ７１の読み取りを開始する（ステップＳ３２）。
【００９８】
読取制御部５００３は、ＲＦＩＤタグ７１からタグ情報及び誤り検出訂正情報を受信したか否かを判定する（ステップＳ３３）。タグ情報及び誤り検出訂正情報を受信したことを条件に（ステップＳ３３；Ｙｅｓ）、誤り検出訂正部５００４は、受信したタグ情報に対して受信した誤り検出訂正情報を使用して誤り検出訂正処理を実行する（ステップＳ３４）。通信制御部５００１は、誤り検出訂正処理を実行したタグ情報をサーバ装置６０に送信する（ステップＳ３５）。そして、携帯型読取装置５０は、ステップＳ３２に移行して出力要求を送信する。
【００９９】
一方、タグ情報及び誤り検出訂正情報を受信していないことを条件に（ステップＳ３３；Ｎｏ）、通信制御部５００１は、ＲＦＩＤタグ７１の読み取りを停止する操作を受け付けたか否かを判定する（ステップＳ３６）。ＲＦＩＤタグ７１の読み取りを停止する操作を受け付けていないことを条件に（ステップＳ３６；Ｎｏ）、携帯型読取装置５０は、ステップＳ３２に移行する。
【０１００】
ＲＦＩＤタグ７１の読み取りを停止する操作を受け付けたことを条件に（ステップＳ３６；Ｙｅｓ）、携帯型読取装置５０は、読取処理を終了する。
【０１０１】
次に、サーバ装置６０が実行する登録処理について説明する。ここで、図１２は、第２の実施形態のサーバ装置６０が実行する登録処理の一例を示すフローチャート図である。
【０１０２】
通信制御部６００１は、携帯型読取装置５０がＲＦＩＤタグ７１から読み取ったタグ情報を受信したか否かを判定する（ステップＳ４１）。タグ情報を受信していないことを条件に（ステップＳ４１；Ｎｏ）、サーバ装置６０は、タグ情報を受信するまで待機する。
【０１０３】
一方、タグ情報を受信したことを条件に（ステップＳ４１；Ｙｅｓ）、暫定登録部６００３は、受信したタグ情報が暫定登録テーブル６０８に登録済みであるか否かを判定する（ステップＳ４２）。
【０１０４】
暫定登録テーブル６０８に登録済みであることを条件に（ステップＳ４２；Ｙｅｓ）、暫定登録部６００３は、重複回数をカウントアップにする（ステップＳ４３）。すなわち、暫定登録部６００３は、暫定登録テーブル６０８における受信したタグ情報と同一のタグ情報の重複回数をカウントアップにする。
【０１０５】
一方、暫定登録テーブル６０８に未登録であることを条件に（ステップＳ４２；Ｎｏ）、暫定登録部６００３は、受信したタグ情報を暫定登録テーブル６０８に登録する（ステップＳ４４）。暫定登録部６００３は、暫定登録テーブル６０８に登録したタグ情報の重複回数に０を設定する（ステップＳ４５）。
【０１０６】
操作制御部６００２は、ＲＦＩＤタグ７１の読み取りを停止する操作を受け付けたか否かを判定する（ステップＳ４６）。ＲＦＩＤタグ７１の読み取りを停止する操作を受け付けていないことを条件に（ステップＳ４６；Ｎｏ）、サーバ装置６０は、ステップＳ４２に移行する。
【０１０７】
一方、ＲＦＩＤタグ７１の読み取りを停止する操作を受け付けたことを条件に（ステップＳ４６；Ｙｅｓ）、サーバ装置６０の登録制御部６００４は、暫定登録テーブル６０８から重複回数が１以上のタグ情報を抽出する（ステップＳ４７）。
【０１０８】
サーバ装置６０の登録制御部６００４は、抽出したタグ情報を在庫登録テーブル６０９に登録する（ステップＳ４８）。
【０１０９】
以上により、サーバ装置６０は、登録処理を終了する。
【０１１０】
以上のように、第２の実施形態に係る読取システム２によれば、携帯型読取装置５０は、商品７０に付されたＲＦＩＤタグ７１から商品コードを受信することにより商品コードを読み取る。携帯型読取装置５０は、商品コードを読み取ったことを条件に、サーバ装置６０に読み取った商品コードを送信する。サーバ装置６０は、一又は複数の携帯型読取装置５０から受信した商品コードを集約して暫定登録テーブル６０８に記憶させる。サーバ装置６０は、暫定登録テーブル６０８に重複して記憶させた商品コードの商品７０を、倉庫等に保管されている商品７０として抽出する。そして、サーバ装置６０は、抽出した商品コードを在庫登録テーブル６０９に記憶させる。従って、サーバ装置６０は、誤ったデータを排除することができる。
【０１１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１２】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１３】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【０１１４】
１、２  読取システム
１０  据置型読取装置
２０  ＰＯＳ端末
５０  携帯型読取装置
６０  サーバ装置
３１、７１  ＲＦＩＤタグ
１００１  接続制御部
１００２  読取制御部
１００３  誤り検出訂正部
１００４  暫定登録部
２００１  接続制御部
２００２  操作制御部
２００３  登録制御部
５００１  通信制御部
５００２  操作制御部
５００３  読取制御部
５００４  誤り検出訂正部
６００１  通信制御部
６００２  操作制御部
６００３  暫定登録部
６００４  登録制御部
【先行技術文献】
【特許文献】
【０１１５】
【特許文献１】特許第４９６４５６７号公報
【図１】
2018013957.tif 000003
【図２】
2018013957.tif 000004
【図３】
2018013957.tif 000005
【図４】
2018013957.tif 000006
【図５】
2018013957.tif 000007
【図６】
2018013957.tif 000008
【図７】
2018013957.tif 000009
【図８】
2018013957.tif 000010
【図９】
2018013957.tif 000011
【図１０】
2018013957.tif 000012
【図１１】
2018013957.tif 000013
【図１２】
2018013957.tif 000014